(57)【特許請求の範囲】
【請求項１】
着用者の襟足に位置するネープ部と、前記着用者の左右の側頭部にそれぞれ位置するようにして形成されたサイドプロテクタと、前記着用者の頭部にフィットするように調整するためのアジャスタと、を備えたかつらベースにおいて、
前記アジャスタは、
二つ折りにされた弾性部材であって、一端が前記ネープ部に固定され、折り返し部が前記サイドプロテクタの縁部に取り付けられた第一の留め具に係着されて折り返され、さらに、前記二つ折りにされた他端に第二の留め具が取り付けられた弾性部材と、
前記第二の留め具の挿入部が選択的に挿入される複数の差込口を有する受け部材であって、前記ネープ部に固定された前記弾性部材の一端から前記第一の留め具に至るまでの前記弾性部材の取り付け方向に対して下向きの傾斜角をもって前記ネープ部に取り付けられた帯状の受け材と、
を備えていることを特徴とするかつらベース。
【請求項２】
請求項１に記載のかつらベースにおいて、
前記弾性部材は平ゴムであり、その一端が前記ネープ部に縫着され、当該縫着位置から前記第一の留め具を経由して前記第二の留め具に至る範囲が伸縮可能とされていることを特徴とするかつらベース。
【請求項３】
請求項１又は２に記載のかつらベースにおいて、
前記ネープ部は、熱可塑性のメッシュネットを少なくとも二重に配置して形成されると共に、前記重ね部分は加圧・加熱処理によって前記着用者の襟足の形状に沿うように形成されていることを特徴とするかつらベース。
【請求項４】
請求項１から３のいずれか１項に記載のかつらベースにおいて、
前記サイドプロテクタは、前記着用者のもみ上げ部を覆うようにメッシュネットを少なくとも二重に配置して形成され、その中心部には、折り曲げ変形可能な耳芯が略頭頂方向に向かうようにして配置されていることを特徴とするかつらベース。
【発明の詳細な説明】
【技術分野】
【０００１】
本発明は、着用者の襟足に位置するネープ部と、前記着用者の左右の側頭部にそれぞれ位置するようにして形成されたサイドプロテクタと、前記着用者の頭部にフィットするように調整するためのアジャスタを備えたかつらベースに関し、特に、ネープ部及びサイド部の浮き上がりや、ずり上がりを解消して快適な装着感が得られるアジャスタを備えたかつらベースに関する。
【背景技術】
【０００２】
従来、レディメイドやオーダーメイドのかつらは、着用者の頭部の髪の生え際に合せた周縁部を有する帽子状のかつらベースに人工及び天然の毛髪を植設することによって作成されており、このようなかつらベースには、主として合成繊維製のネット材が用いられている。
【０００３】
装着感を考慮したかつらとしては、例えば、着用者の頭部の形状及び頭部の大きさにフィット感を与える目的で、かつらベースのサイドプロテクタに金属製や樹脂製の耳芯を介挿し、サイドプロテクタの浮き上がりを防止したものがある（特許文献１参照）。この特許文献１では、頭皮からかつらベースが浮き上がらないようにするため、くり部の湾曲形状に沿って太い金属線や厚肉のプラスチック材等の剛性部材、又は鋼材を挿入すると共にくり部を樹脂材で硬化させ、くり部の伸びや変形を抑えるようにしている。
【０００４】
また、細線材を複数本幅状に配列して湾曲状に成形してボーンを形成し、このボーンをネープ部の盆の窪に対応する位置に圧接するように配置してネープ部の浮き上がりを防止すると共にフィット感を向上させたかつら（特許文献２参照）や、かつらベースのサイド部の一部、サイド部の前側に連接されたサイドプロテクタの一部、又はネープ部の中央領域をポリウレタン等の弾性ネットで形成したかつら（特許文献３，４参照）なども知られている。
【０００５】
さらに、一般的な頭部形状に合うように全体が帽子状に形成された形状において、ネープ部にアジャスタを設け、このアジャスタの長さを調節することによって、かつらベースを着用者の頭部の形状にフィットさせたかつらも知られている（特許文献３〜５参照）。
【０００６】
ここで、従来のアジャスタの一例を図５に示すと、かつらベース２０１のネープ部２０２に設けられたアジャスタ２０３は、一端がネープ部２０２に縫い付けられた平ゴム２０４と、平ゴム２０４の他端に取り付けられたフック等の留め具２０５と、平ゴム２０４の取り付け方向と一直線上に位置させるようにしてネープ部２０２に縫い付けられた受け材２０６と、によって形成されている。受け材２０６は、所定の縫い幅による縫い目が複数設けられており、縫い目と縫い目の間が留め具２０５の差込口２０７（ここでは４つ）になる。
【０００７】
着用者は、かつら２００を装着する場合、初めに留め具２０５を差込口２０７の任意の１つに差し込んで試着してフィット感を確認する。サイズが合わない場合、着用者は、留め具２０５を別の差込口２０７に挿入してアジャスタ３０３を再調整し、再度試着する。着用者は、以上の操作によって最適なフィット感が得られる位置を確定してかつら２００を装着する。このように、留め具２０５を受け材２０６の差込口２０７を選択して挿入することにより、かつらベース２０１のサイズの微調整を行うものである。
【先行技術文献】
【特許文献】
【０００８】
【特許文献１】実開昭５７−１４３２１８号公報
【特許文献２】特開２００１−８１６１８号公報
【特許文献３】特開２００８−６３６９６号公報
【特許文献４】特開２００７−３２１２９８号公報
【特許文献５】特開２００７−２３９１５３号公報
【発明の概要】
【発明が解決しようとする課題】
【０００９】
しかしながら、上述した従来のかつら２００は、平ゴム２０４の取り付け方向と一直線上に受け材２０６を配置していたので、平ゴム２０４の伸縮に伴ってこの平ゴム２０４が位置する部分のかつらベース２０２を構成するネットが撓んで浮き上がるという問題が生じていた。
また、受け材２０６はネープ部２０２に横長に配置されているため、留め具２０５の係止位置をネープ部２０２の中央付近にした場合、すなわち弾性部材２０４を引き延ばした場合、ネープ部２０２の端部に隙間が生じてしまいフィット感が得られないという問題がある。
さらに、特許文献２に示されたかつらの場合、剛性のボーンには柔軟性が無いため、ネープ部が着用者の襟首の上下方向及び左右方向の動きに追随できずに、ずり上がりが生じるという問題がある。
【００１０】
そこで、本発明は、かかる問題点に鑑みなされたものであり、平ゴムと受け材とを平行にせず、且つ、平ゴムの固定位置をサイドプロテクタ側に設けないことで、ネープ部及びサイド部の浮き上がり、ずり上がりを解消し快適な装着感が得られるようにしたかつらベースの提供を目的とする。
【課題を解決するための手段】
【００１１】
上記課題を解決するために請求項１に記載の発明は、着用者の襟足に位置するネープ部と、着用者の左右の側頭部にそれぞれ位置するようにして形成されたサイドプロテクタと、着用者の頭部にフィットするように調整するためのアジャスタとを備えたかつらベースにおいて、アジャスタは、二つ折りにされた弾性部材であって、一端がネープ部に固定され、折り返し部がサイドプロテクタの縁部に取り付けられた第一の留め具に係着されて折り返され、さらに、二つ折りにされた他端に第二の留め具が取り付けられた弾性部材と、第二の留め具の挿入部が選択的に挿入される複数の差込口を有する受け部材であって、ネープ部に固定された弾性部材の一端から第一の留め具に至るまでの弾性部材の取り付け方向に対して下向きの傾斜角をもってネープ部に取り付けられた帯状の受け材とを備えていることを特徴とする。
【００１２】
上記課題を解決するために請求項２に記載の本発明は、請求項１に記載のかつらベースにおいて、弾性部材は平ゴムであり、その一端がネープ部に縫着され、縫着位置から第一の留め具を経由して第二の留め具に至る範囲が伸縮可能とされていることを特徴とする。
【００１３】
上記課題を解決するために請求項３に記載の本発明は、請求項１又は２に記載のかつらベースにおいて、ネープ部は、熱可塑性のメッシュネットを少なくとも二重に配置して形成されると共に、重ね部分は加圧・加熱処理によって着用者の襟足の形状に沿うように形成されていることを特徴とする。
【００１４】
上記課題を解決するために請求項４に記載の本発明は、請求項１から３のいずれか１項に記載のかつらベースにおいて、サイドプロテクタは、着用者のもみ上げ部を覆うようにメッシュネットを少なくとも二重に配置して形成され、その中心部には、折り曲げ変形可能な耳芯が略頭頂方向に向かうようにして配置されていることを特徴とする。
【発明の効果】
【００１５】
本発明に係るかつらベースによれば、ネープ部及びサイド部の浮き上がりやずり上がりが解消されて快適な装着感が得られるという効果がある。
【図面の簡単な説明】
【００１６】
【図１】本発明に係るかつらベースの好ましい一実施形態を裏返しにした状態の正面図である。
【図２】図１に示すかつらベースの側面図である。
【図３】アジャスタの詳細を示す平面図である。
【図４】アジャスタの弾性部材側及び受け材の構成を示す図である。
【図５】従来のかつらベースのアジャスタ部分を裏側から見た図である。
【発明を実施するための形態】
【００１７】
図１は本発明に係るかつらベースの好ましい一実施形態を裏返しにした状態の正面図、図２は図１に示すかつらベースの側面図、図３は図１及び図２に示すアジャスタを示し、（ａ）は留め具を受け材に挿入した状態を示すアジャスタの平面図、（ｂ）は受け材から留め具を外した状態を示すアジャスタの平面図、図４は図３に示すアジャスタの構成を示し、（ａ）は弾性部材側の構成を示す側面図、（ｂ）は受け材を示す側面図である。
【００１８】
かつらベース１００は、概略として、図１及び図２に示すように、着用者の耳及び襟足より全頭部を覆うことが可能な帽子状に形成された本体１を備え、この本体１の前部側には髪把持具１２が取り付けられると共に、後部側にはネープ部２が一体に設けられ、さらに、本体１の両側部には着用者のもみ上げ部に位置するサイドプロテクタ５と、アジャスタ３を備えて構成されている。そして、サイドプロテクタ５及びネープ部２の周囲には縁取部１３が設けられている。尚、本体１の後部にはタグ１１が取り付けられている。
【００１９】
本体１は、複数のメッシュネットからなる部材を縫着して繋ぎ合わせることによって着用者の頭部を全体的に覆うことができる帽子状に形成されている。そして、ネープ部２は、着用者の襟足の部分に位置するように本体１と一体に形成されており、髪の毛の生え際のラインに沿うように中央がやや凹んで左右の下側方向がやや下側に膨らんだ形状とされている。また、ネープ部２は、熱可塑性のメッシュネットを二重に配置すると共に、加熱・加圧処理することによって着用者の襟足の丸みに即してフィットするように形成されている。ネープ部２をこのような構成としたのは、金属線材などによって襟足にフィットするように形状を規制すると着用者の首の動きに追随できずに首に当たるおそれがあること、また、ポリウレタン等の弾性ネットを使用した場合ではネットの伸び縮みによって植設された毛髪の脱落のおそれがあると共にポリウレタンの加水分解による経時劣化による耐久性の問題が懸念されるからである。そこで、熱可塑性のメッシュネットを二重に配置することで加熱・加圧処理の効果を持続させると共に形状保持の安定化を図ることとしたものである。これにより、着用者の首の動きに良く追随すると共に、フィット感が良好であって且つ違和感のないネープ部２を提供することが可能となる。さらに、ネープ部２の周囲には縁取部１３が設けられている。また、本体１には、ネープ部２と、耳の上部の形状に沿って湾曲するようにして本体１の周縁に設けられたくり部４と、着用者のもみ上げ部を覆う形状を備えて本体１と一体に設けられたサイドプロテクタ５と、サイドプロテクタ５の浮き上がりを防止する矯正部材としてサイドプロテクタ５の中央部に配置された耳芯６を備えている。
【００２０】
アジャスタ３は、図３に示すように、概略として、伸縮性のあまりない繊維製の帯状部材を輪状に形成してサイドプロテクタ５の縁取り１３部分に縫着してなる固定材３１と、並列して配置された２つの開口を備え、一方側の開口が固定材３１に係着されると共に、他方側の開口には弾性部材３３が挿入されて折り返される第一の留め具３２と、一端がネープ部２の縁取り１３部分に縫着され、第一の留め具３２の他方側の開口に挿入されて折り返され、他端に第二の留め具３４が取り付けられた平ゴム等からなる弾性部材３３と、弾性部材３３の他端に係着された第二の留め具３４と、ネープ部２に固定された弾性部材３３の一端から第一の留め具３２に至るまでの弾性部材３３の取り付け方向に対して下向きの傾斜角をもってネープ部２に取り付けられると共に、ミシン目により複数の差込口３６が形成された受け材３５とを備えている。ここで、「下向きの傾斜角」というのは、弾性部材３３が配置された側とは反対側の受け材３５端部がネープ部２の縁部側へ向かって傾斜していることを意味する。なお、固定材３１と第一の留め具３２及び弾性部材３３の一部は、共に本体１を構成するメッシュネットと同じ素材のメッシュネットによって形成された袋状部（図示せず）に収納されるようにして配置されている。
【００２１】
図４（ａ）に示すように、弾性部材３３は所定の幅サイズを備えた平ゴムとされ、その一端はネープ部２の固定部３３ａに縫着固定されている。また、弾性部材３３は第一の留め具３２の一方側の開口に挿入した状態で二つ折りにされると共に、自由端となっている弾性部材３３の他端には第二の留め具３４が取り付けられている。これにより、第一の留め具３２は弾性部材３３の折り曲げ部となっている。一方、第二の留め具３４が取り付けられた弾性部材３３の他端は、第二の留め具３４に設けられた開口に挿通した状態でＵ字状に折り曲げられ、重ね合わせ部３３ｃによって輪状に縫着することによって第二の留め具３４を固定している。
【００２２】
また、図３（ａ），（ｂ）及び図４（ａ）に示すように、固定材３１は、帯状の布材等によって構成され、第一の留め具３２の開口に挿通した後、Ｕ字状に二つ折りにしてプロテクタ５の縁部１３に縫着することによって第一の留め具３２を固定している。尚、好ましい本実施形態では二つ折り後の固定材３１のサイズは、例えば、長さが約１５ｍｍ×幅が約１０ｍｍであり、二つ折り前の弾性部材３３のサイズは、例えば、長さが約１００ｍｍ×幅が約１０ｍｍとなっている。
【００２３】
第一の留め具３２及び第二の留め具３４は、それぞれ二つのリング状の開口が並んで配置されてなる略８字形状をした部材である。そして、第一の留め具３２は、一方の開口に固定材３１が挿入され、他方の開口に弾性部材３３が挿入される。また、第二の留め具３４は、第一の留め具３２とほぼ同様の形状を有しており開口の１つに弾性部材３３が挿入されるが、他の１つの開口は閉塞されておらず下側の一部が開放された形状になっている。この開放された形状によって形成される鍵状の挿入片３４０が受け材３５の差込口３６に挿入されるようになっている。尚、挿入片３４０の先端は鍵状に形成されており受け材３５の差込口３６に差し込まれた場合にこの差込口３６に係止されて容易に抜け出さないようになっている。受け材３５は、帯状の布材等であり、図４（ｂ）に示すように、ネープ部２に固定された弾性部材３３の一端から第一の留め具３２に至るまでの弾性部材３３の取り付け方向に対して下向きの傾斜角をもってネープ部２に縫着されている。傾斜角度は特に限定されるものではないが、２０°〜４５°であることが好ましい。また、受け材３５には長手方向の５カ所で長手方向に対して直角方向（受け材３５の幅方向）に等間隔でネープ部２に縫着されており、これによって４つの差込口３６が形成されている。尚、本実施形態では第一の留め具３２及び第二の留め具３４はいずれも合成樹脂等によって形成されているが、金属製など他の材料によって形成することもできる。
【００２４】
アジャスタ３は以上のような構成を備えており、第二の留め具３４が取り付けられた弾性部材３３の自由端側を引っ張ると弾性部材３３は伸びるが、ネープ部２に固定された部分から第二の留め具３４に至る部分は、その弾性によって引っ張られて縮みネープ部２とプロテクタ５の間の本体１のネットが絞り込まれ、それによって装着者の頭部へのフィット感を調整できるようになっている。そして、上述したように、受け材３５はネープ部２に固定された一端から第一の留め具３２に至るまでの弾性部材３３の取り付け方向に対して下向きの傾斜角を設けてネープ部に取り付けられているので下向きの力が働きフィット感がよりアップすることになる。また、弾性部材３３の張力の発生点を受け材３５の近傍にすることができ、受け材３５の差込口３６に挿入片３４０を挿入しているとき、ネープ部２の端部に常に弾性部材３３による張力が働き、ネープ部２の両端部が前方側に引っ張られることになる。この結果、アジャスタ３は、ネープ部２を着用者の襟足にぴったりと密着させると共に、ネープ部２の反りを抑制するように機能することとなる。
【００２５】
一方、耳芯６は、本実施形態においては長さが約４０ｍｍ×幅が約５ｍｍ程度の金属板を網袋によって被覆して形成されており、この網袋が金属板を内蔵した状態でサイドプロテクタ５のメッシュネット部分に縫着されている。耳芯６を構成する金属板は、手で容易に曲げることで折り曲げ変形可能な組成又は種類の金属材料を用いている。尚、耳芯６の形状及びサイズはこれに限定されるものではなく、サイドプロテクタ５の形状や大きさ等に応じて適宜変更することができる。
【００２６】
次に、上述したかつらベース１００を着用する際のアジャスタ３の調整について説明する。かつらベース１００の着用手順は周知の通りであるので説明を省略するが、初めて着用するときには弾性部材３３に最も近い側の差込口３６に挿入片３４０を挿入し、或いは、いずれの差込口３６にも第二の留め具３４の挿入片３４０を挿入しない。この状態で着用者はかつらベース１００を試着し、襟足へのフィット感を把握する。ここで、着用者は頭からかつらベース１００を取り外し、フィット感を満たすと予想される差込口３６に挿入片３４０を挿入する。また、耳芯６が着用者の頭の表面に適宜接触するように、耳芯６に適度な曲げを生じさせて調整する。
【００２７】
着用者は、このように調整したかつらベース１００をフィット感が得られる差込口３６に第二の留め具３４の挿入片３４０を挿入する。アジャスタ３が調整されたかつらベース１００は、二つの受け材３５，３５、即ち、ネープ部２の両側が弾性部材３３によって耳の上部方向へ引き寄せられ、ネープ部２は着用者の襟足の部分に密着するようにぴったりとフィットし、ネープ部２の浮き上がりやずり上がりが防止される。この結果、サイド部(サイドプロテクタ５の前方及び着用者のフエースライン際)が着用者の側頭面に密着し、サイド部の浮き上がりが解消され、着用者は良好なフィット感を得ることができる。
【００２８】
［実施の形態の効果］
本実施の形態に係るかつらベースによれば、アジャスタ３の第二の留め具３４の挿入片３４０を挿入する受け材３５の差込口３６を弾性部材３３の伸縮方向に対して角度を設けて取り付けると共に、弾性部材３３を二つ折りにして張力の発生点を従来とは反対側の受け材３５の近傍に設けたことにより、ネープ部２が着用者の襟足に密着し、ネープ部２の浮き上がり、ずり上がりを防止することができるという効果がある。
また、二つ折りにした弾性部材３３は、その固定部及び第二の留め具３４の位置がほぼ同じ位置で張力発生点になるため、弾性部材３３の留め具３２の位置を調整してサイズの微調整を行う場合でもネープ部２の端部（受け材３５の近傍）に張力が生じ、着用者のネープ部２に密着し、ネープ部２の反りを解消することができるという効果がある。
さらに、二つ折りにした弾性部材３３は、その張力がネープ部２及びサイドプロテクタ５に伝わり、ネープ部２とサイド部とが協働し、これによりかつらベース１００の密着性を向上させることができるという効果がある。
また、本実施の形態によれば、弾性部材３３は、差込口３６に対する第二の留め具３４の挿入位置を適宜設定することにより弾性部材３３の張力を調整することができるため、かつらベース１００と着用者の頭の形状及び外周の長さとの差異を微調整することができるという効果がある。
また、本実施の形態によれば、ネープ部２に熱可塑性メッシュネットを用い、加熱・加圧処理を施し着用者の襟首の形状に沿うように加工したことにより、かつらベース１００を着用したときにネープ部２が襟首の丸みに沿って密着するので、よりフィット感を高めることができるという効果がある。
【００２９】
［他の実施例］
なお、本発明は、上記実施例に限定されるものではなく、本発明の技術思想を逸脱あるいは変更しない範囲内で種々な変形が可能である。例えば、アジャスタ３の取付角度は、上記した２０°〜４５°の角度に限定されるものではなく、ネープ部２の浮き上がり、ずり上がりを防止することができる角度であればよい。
【００３０】
また、ネープ部２及びプロテクタ５は、メッシュネットを二重にしたが、二重以上であってもよい。
【００３１】
更に、第一，第二の留め具３２，３４は、図１〜図３に示した形状に限定されるものではなく、受け材３５に対して留め位置を選択できるならば、スナップなどのような形状のものであってもよい。
【符号の説明】
【００３２】
１      本体
２      ネープ部
３      アジャスタ
４      くり部
５      サイドプロテクタ
６      耳芯
１１    タグ
１２    髪把持具
１３    縁取部
３１    固定材
３２    第一の留め具
３３    弾性部材
３４    第二の留め具
３５    受け材
３６    差込口
１００  かつらベース
３４０  挿入片
【図１】
0005465518.tif 000002
【図２】
0005465518.tif 000003
【図３】
0005465518.tif 000004
【図４】
0005465518.tif 000005
【図５】
0005465518.tif 000006